(57)【要約】【課題】読書の楽しみを倍加できるとともに、書物の所持や書棚への収納も楽しめるしおりを提供する。【解決手段】しおりの頭部が横に突出する突起部を備えてなり、該突起部の下縁が書物のノドの天部に掛止される。前記突起部が、動物や動物の頭部、植物、建造物、乗物などを表す写真、イラスト等の表示部として構成される。【選択図】    図１
2006248192.tif 000002
【特許請求の範囲】
【請求項１】
書物の間にはさんで目印として使用されるしおりであって、しおりの頭部が横に突出する突起部を備えてなり、該突起部の下縁が書物のノドの天部に掛止されるものであることを特徴とするしおり。
【請求項２】
書物の間にはさんで目印として使用されるしおりであって、しおりの頭部が片側に横に突出する突起部を備えて逆Ｌ字状をなし、該逆Ｌ字状の突起部の下部水平部が書物のノドの天部に掛止されるものであることを特徴とするしおり。
【請求項３】
書物の間にはさんで目印として使用されるしおりであって、しおりの頭部が両側に横に突出する突起部を備えてＴ字状をなし、該Ｔ字状の２つの突起部の下辺水平部のいずれかが書物のノドの天部に掛止されるものであることを特徴とするしおり。
【請求項４】
突起部が、動物の頭部を表す写真、イラスト等の動物頭部表示部であることを特徴とする請求項１〜３に記載のしおり。
【請求項５】
突起部が、植物を表す写真、イラスト等の植物表示部であることを特徴とする請求項１〜３に記載のしおり。
【請求項６】
突起部が、建造物を表す写真、イラスト等の建造物表示部であることを特徴とする請求項１〜３に記載のしおり。
【請求項７】
突起部が、乗物を表す写真、イラスト等の乗物表示部であることを特徴とする請求項１〜３に記載のしおり。
【請求項８】
前記しおりに、告知情報が表示される告知情報表示部を備えてなることを特徴とする請求項１〜７のいずれか１項に記載のしおり。
【発明の詳細な説明】
【技術分野】
【０００１】
本発明は、書物の間にはさんで目印として使用されるしおりに関する。
【背景技術】
【０００２】
従来より、読みかけの書物や、調べものをしている書物を一時閉じる場合に、目印となるようにしおりをはさむことが行われている。
このしおりは、紙やプラスチック等の薄い素材を用いて、書物の長さより短く形成され、書物の間にすっぽりとはさまれるものが一般的である。
近年は、書店等で書物を購入すると、全面あるいは一部に告知広告が印刷された広告機能付きの紙製しおりがサービスではさまれていることが多い。
【０００３】
また、落下しにくいように、平たい棒状のプラスチック等の頭部に突起物を付けて構成されるしおり（特開平８−８５２７９号）や、上部をしおり本体より幅広の宣伝媒体部に形成し、かつしおり本体の中央に切欠溝を設けて２本の足に形成して、書籍のページに跨って挟持されるようにし、前記宣伝媒体部の文字や図形を交換することによって半永久的に広告媒体として使用することができるしおり（特開平１１−５９０２０号）もある。
【特許文献１】特開平８−８５２７９号公報
【特許文献２】特開平１１−５９０２０号公報
【発明の開示】
【発明が解決しようとする課題】
【０００４】
しかし、従来より使用されている一般的なしおりは、書物の中にすっぽりとはさまれてしまうため、しおりのはさまれている個所を探すには書籍をパラパラとめくらなければならない不便がある。
また、頭部に突起物が付けられているしおりは、書物から常に頭部を突出させて挟持しておかなければならず、高さに余裕のない書棚などに書物を収納する際には、邪魔になるという問題がある。
そして、上部にしおり本体より幅広の宣伝媒体部を備え、本体の中央に切欠溝が設けられた２本足のしおりは、書物から突出した部分に常に宣伝広告が表示されることになり、書店での宣伝効果は期待ができるが、書物の購入者にとっては、読書の際や持ち運びの際など常に宣伝広告部が表示されることになり、体裁のよいものではない。また、本体の中央に切欠溝を有し、これをページを跨ぐようにはさむように使用する構成となっていることや、広告部分の文字や図形を交換して半永久的に広告媒体として使用することから、通常の書物の読者にしおりとして使用されることを目的としたものではない。
【課題を解決するための手段】
【０００５】
本発明は、上記課題を解決するためのものであり、下記構成のしおりである。
（１）書物の間にはさんで目印として使用されるしおりであって、しおりの頭部が横に突出する突起部を備えてなり、該突起部の下縁が書物のノドの天部に掛止されるものであることを特徴とするしおり。
（２）書物の間にはさんで目印として使用されるしおりであって、しおりの頭部が片側に横に突出する突起部を備えて逆Ｌ字状をなし、該逆Ｌ字状の突起部の下部水平部が書物のノドの天部に掛止されるものであることを特徴とするしおり。
（３）書物の間にはさんで目印として使用されるしおりであって、しおりの頭部が両側に横に突出する突起部を備えてＴ字状をなし、該Ｔ字状の２つの突起部の下辺水平部のいずれかが書物のノドの天部に掛止されるものであることを特徴とするしおり。
【０００６】
（４）突起部が、動物の頭部を表す写真、イラスト等の動物頭部表示部であることを特徴とする前記（１）〜（３）に記載のしおり。
（５）突起部が、植物を表す写真、イラスト等の植物表示部であることを特徴とする前記（１）〜（３）に記載のしおり。
（６）突起部が、建造物を表す写真、イラスト等の建造物表示部であることを特徴とする前記（１）〜（３）に記載のしおり。
（７）突起部が、乗物を表す写真、イラスト等の乗物表示部であることを特徴とする前記（１）〜（３）に記載のしおり。
（８）前記しおりに、告知情報が表示される告知情報表示部を備えてなることを特徴とする前記（１）〜（７）のいずれか１項に記載のしおり。
【発明の効果】
【０００７】
本発明のしおりは、しおりの頭部が横に突出する突起部を備えてなり、該突起部の下縁が書物のノドの天部に掛止される構成、又はしおりの頭部が片側に横に突出する突起部を備えて逆Ｌ字状をなし、該逆Ｌ字状の突起部の下辺水平部が書物のノドの天部に掛止される構成、あるいは、しおりの頭部が両側に横に突出する突起部を備えてＴ字状をなし、該Ｔ字状の２つの突起部の下辺水平部のいずれかが書物のノドの天部に掛止される構成となっているので、前記しおりの頭部の突起部が書物のノドの天部の上に確実に配置され、落下を防止することができる。
そして、本発明のしおりは、その頭部の突起部が確実に書物のノドの天部の上に掛止して狭持されるので、しおりがはさんである個所がわかりやすく、かつしおりの頭部に表示された表示物を常に視認することができる。
【０００８】
また、本発明のしおりは、しおりの頭部に形成される突起部に、動物あるいは動物の頭部を表す写真、イラスト等の動物表示物、動物頭部表示部、植物を表す写真、イラスト等の植物表示物、あるいは建造物を表す写真、イラスト等の建造物表示物、乗物を表す写真、イラスト等の乗物表示物等を表示することができるので、書物の天部から突出した突起部に表示されたこれら表示物を常に視認でき、好みの表示物を選択して使用することにより、読書の楽しみを倍加できるとともに、書物を所持する楽しみも享受できる。
【０００９】
さらに、本発明のしおりに、告知情報を表示することにより、書店等がサービスで提供する際には、広告媒体として十分な広告機能を有するしおりとなる。
【発明を実施するための最良の形態】
【００１０】
本発明のしおりは、書物の間にはさんで目印として使用されるしおりであり、しおりの頭部に横に突出する突起部を備えて、該突起部の下辺が書物のノドの天部に掛止されるものである。
書物におけるノドとは、書物の綴じ目側の部分であり、通常は製本の際に糊付けされる部分である。また、書物の天部とは、書物を立てた時に、上となる部分である。
本発明のしおりは、その頭部が横に突出する突起部を備えて構成されており、その突起部の下縁が、前記書物のノドの天部に掛止されるように配置されて使用されるものである。
【００１１】
なお、しおりの頭部が片側に横に突出する突起部を備えた逆Ｌ字状、あるいは、しおりの頭部が両側に横に突出する突起部を備えたＴ字状に構成され、前記逆Ｌ字状の突起部の下辺水平部あるいは、前記Ｔ字状の２つの突起部の下辺水平部のいずれかが、書物のノドの天部に掛止されるよう構成することもできる。
Ｔ字状に形成されたしおりの場合には、しおりの表裏を気にすることなく、どちら側での書物のノドの天部に掛止することができるものとなる。
【００１２】
本発明のしおりは、しおりの頭部に、しおり本体より横に突出する突起部が形成されていて、前記突起部の下縁あるいは下辺が、書物のノドの天部に掛止されるように構成されるものである。
すなわち、書物のノドの天部に掛止できる程度に突起部が形成されていればよく、その形状は限定されるものではなく、しおりの頭部の突起部に表示される表示物の形状に合わせて突起部を形成することができる。
【実施例】
【００１３】
本発明のしおりを図に基づいて説明する。
図１は、本発明のしおりの実施例１を示す図、図２は本発明のしおりの実施例２を示す図、図３は本発明のしおりの実施例３を示す図、図４は本発明の実施例４を示す図、図５は本発明のしおりの実施例５を示す図、図６は本発明のしおりの実施例６を示す図、図７は本発明のしおりを書物に狭持した状態を示す図である。
図中、１、１ａ、１ｂ、１ｃ、１ｃ’、１ｄ、１ｅ、１ｆは本発明のしおり、２、２ａ、２ｂ、２ｃ、２ｃ’、２ｄ、２ｄ’、２ｅ、２ｆは突起部、３はしおり本体部、４は告知情報表示部、５は書物、６は天部、７はノド、８はノドの天部である。
【００１４】
本発明のしおり１は、図１〜図６の実施例１〜実施例６に示すように、しおり１、１ａ、１ｂ、１ｃ、１ｃ’、１ｄ、１ｅの頭部が片側又は両側に横に突出する突起部２、２ａ、２ｂ、２ｃ、２ｃ’、２ｄ、２ｄ’、２ｅを備えてなり、前記の突起部２、２ａ、２ｂ、２ｃ、２ｃ’、２ｄ、２ｄ’、２ｅの下縁や、下辺水平部が、図７の本発明のしおりを書物に狭持した状態を示す図に示すように、書物５のノドの天部８に掛止されるものである。
【００１５】
図１に示す本発明のしおりの実施例１は、しおり１の頭部が片側に横に突出する突起部２を備えた逆Ｌ字形状に形成されたものである。書物に狭持して使用される際には、しおり本体部３が書物の間にはさまれ、突起部２が書物５のノドの天部８（図７参照）に掛止される。
実施例１に示すしおり１は、書物５の天部６（図７参照）の上に突出する頭部に、日付やコメントなどをメモしておくこともできる構成となっている。
【００１６】
図２に示す本発明のしおりの実施例２は、しおり１ａの頭部が両側に横に突出する突起部２ａを備えたＴ字形状に形成されたものであり、しおり本体部３に告知情報表示部４が備えられ、告知情報が表示されている。
実施例２に示すしおり１ａは、しおり１ａの頭部には、日付やコメントなどをメモするスペースを備え、告知情報表示部４がしおり本体部３に配置されているので、読者が書物を開くたびに、告知情報を目にすることになり、広告媒体として十分な広告機能を有するものである。
なお、告知情報表示部４は、しおり１ａの頭部には配置されていないので、書物の天部の上には表示されることはなく、読者が持ち運びする際にも抵抗ない構成となっている。
しおり１ａは、特に、書店等がサービスではさんで提供するものとしては最適である。
【００１７】
図３に示す実施例３のしおり１ｂは、しおり１ｂの頭部に動物の頭部を表すイラストが表示されており、突起部２ｂは動物頭部表示部２０ｂで構成されている。
また、しおり本体部３には、告知情報表示部４を備えられている。
なお、図３に示す実施例３のしおり１ｂ’は、しおり１ｂ’の頭部に動物を表すイラストが表示されており、突起部２ｂ’は動物表示部２０ｂ’で構成されている。
そして、前記しおり１ｂ及び１ｂ’は、突起部の下縁が書物のノドの天部に掛止されて使用される。
例えば、しおりの頭部に様々な動物の写真やイラスト等を表示し、突起部２ｂ、２ｂ’を動物頭部表示部２０ｂあるいは、動物表示部２０ｂ’で構成することにより、読者は自分の好みに合わせて任意のしおりを使用することができ、さらに、書棚等に複数の書物を収納した際には、書物の天部より上に、様々な動物が突出して表現されることになるので、読者は書棚を眺めるだけで楽しめ、新しい書物の楽しみ方を享受することができる。
【００１８】
図４に示す実施例４のしおり１ｃは、しおり１ｃの頭部に植物を表すイラストが表示されており、突起部２ｃは植物表示部２０ｃで構成されている。
また、図５に示す実施例５のしおり１ｄは、しおり１ｄの頭部に建造物を表すイラストが表示されており、建造物のイラストが、しおり１ｄの頭部の両側に横に突出するように突起部２ｄ、２ｄ’を形成する建造物表示部２０ｄを構成している。
そして、図６に示す実施例６のしおり１ｅは、しおり１ｅの頭部に乗物を表すイラストが表示されており、乗物のイラストがしおり１ｅの頭部に片側に横に突出するように突起部２ｅが乗物表示部２０ｅで形成されている。
【００１９】
なお、前記実施例１〜実施例６に示すしおり１〜１ｅは、そのいずれの実施例においても、使用の用途に合わせて、しおり本体部３に告知情報表示部４を配置することができる。
また、突起部２〜２ｅを構成する各表示部２０ｂ〜２０ｅは、両面に同じ表示物を表示、あるいは片面ごとに表示物を変更して表示することもできる。
そして、前述した動物はもちろん、植物や建造物、乗物など、各表示部２０ｂ〜２０ｅに表示されるものを、多種多様とすることによって、読者は読書のたびにその表示物を見て楽しむことができるばかりでなく、書棚に収納した後も書物の天部から突出した表示物を楽しむことができるものとなる。
【００２０】
図７は、本発明のしおりを書物に狭持した状態を示す図であり、しおり１ｆは、頭部の片側に横に突出する突起部２ｆを備えて形成され、突起部２ｆの下縁が、書物５のノドの天部８に掛止されるようにはさまれている。
【００２１】
本発明のしおり１は、紙、プラスチックや金属等の平らな素材で形成されるものであり、書物５にはさんで目印として使用できる素材であれば、限定されるものではない。  
なお、その頭部に様々な表示物を表示する容易さやコスト面等から、紙製が好ましいが、その用途、例えば書店がサービスで購入者の書物にはさむ場合には紙製とし、おみやげ物やイベントでの記念品とする場合には、プラスチックや金属等の長期使用が可能な素材を選択することが好ましい。
また、本発明のしおり１は、書物にはさんで使用できる程度の大きさであればよい。
したがって、その用途、例えば文庫本用、雑誌用等によって、適宜大きさを選択することが好ましい。
【図面の簡単な説明】
【００２２】
【図１】本発明のしおりの実施例１を示す図
【図２】本発明のしおりの実施例２を示す図
【図３】本発明のしおりの実施例３を示す図
【図４】本発明のしおりの実施例４を示す図
【図５】本発明のしおりの実施例５を示す図
【図６】本発明のしおりの実施例６を示す図
【図７】本発明のしおりを書物に狭持した状態を示す図
【符号の説明】
【００２３】
１、１ａ、１ｂ、１ｃ、１ｃ’、１ｄ、１ｅ、１ｆ    しおり
２、２ａ、２ｂ、２ｃ、２ｃ’、２ｄ、２ｄ’、２ｅ、２ｆ    突起部
３    しおり本体部
４    告知情報表示部
５    書物
６    天部
７    ノド
８    ノドの天部
２０ｂ    動物頭部表示部
２０ｂ’  動物表示部
２０ｃ    植物表示部
２０ｄ    建造物表示部
２０ｅ    乗物表示部
【図１】
2006248192.tif 000003
【図２】
2006248192.tif 000004
【図３】
2006248192.tif 000005
【図４】
2006248192.tif 000006
【図５】
2006248192.tif 000007
【図６】
2006248192.tif 000008
【図７】
2006248192.tif 000009